(57)【特許請求の範囲】
【請求項１】
異なる印字エネルギーが付与されることにより異なる色で発色する第１、第２、第３の記録層を順に積層して形成され情報が印字される印字エリア及び利用情報が記録される磁気記録層を有するカードを処理するカード処理装置において、
カードに記録されている磁気情報を読み出す読み出し手段と、
カードの印字エリアが何回目の満杯であるかを判定する判定手段と、
この判定手段によりカードの印字エリアが１回目の満杯になっていないと判定された場合には第１の印字エネルギーで上記第１の記録層に印字し、上記判定手段によりカードの印字エリアが１回目の満杯であると判定された場合には前記第１の印字エネルギーよりも高い第２の印字エネルギーで上記第２の記録層に印字し、上記判定手段によりカードの印字エリアが２回目の満杯であると判定された場合には前記第１及び第２の印字エネルギーよりも高い第３の印字エネルギーで上記第３の記録層に印字する印字手段とを具備したことを特徴とするカード処理装置。
【請求項２】
前記印字手段は、第１の印字エネルギーにより上記第１の記録層に黄色で印字し、第２の印字エネルギーにより上記第２の記録層に青色で印字し、第３の印字エネルギーにより上記第３の記録層に黒色で印字することを特徴とする請求項１に記載のカード処理装置。
【発明の詳細な説明】
【０００１】
【発明の属する技術分野】
本発明は複数の駅務機器（自動券売機、精算機、自動改集札機）で使用可能なカードを処理するカード処理装置に関する。
【０００２】
【従来の技術】
従来、残度数ないし残金額、使用日付、使用場所等の使用履歴を印字していくカードとしては、東日本旅客鉄道株式会社のイオカードや、阪急電鉄株式会社のラーガールカード、京浜急行電鉄のルトランカード、日本道路公団のハイウェイカードなどが知られている。
【０００３】
これらのカードを使用したシステムでは、自動改集札機、自動券売機、精算機等のカード処理機において、カードに磁気記録され残額情報、利用日付、乗車券駅等の磁気書き込み手段を用いてカードに磁気記録を行い、さらに、利用駅、残額等の情報をカードに印字するようにしていた。
【０００４】
【発明が解決しようとする課題】
これらのカードでは、カードの印字エリアが満杯になった際は新たにカードを再発行する必要があり、その際には、カードの再発行に時間がかかるとともに、再発行用に生カードが新たに必要となるという問題があった。
【０００５】
また、再発行用の機器を用意しなければならないという欠点があった。
さらに、定期券を使用して入場し、イオカードで出場してしまう不正乗車が発生する場合もある。
【０００６】
また、カードを使用する盲目者にとっては、カードがどのカードであるのかを感覚で認識できないという問題があった。
本発明の第１の目的は、カードの印字エリアが満杯になった場合でも、再発行という手続きを取らなくても、印字することができるカード処理装置を提供することにある。
【０００８】
【課題を解決するための手段】
この発明に係るカード処理装置は、異なる印字エネルギーが付与されることにより異なる色で発色する第１、第２、第３の記録層を順に積層して形成され情報が印字される印字エリア及び利用情報が記録される磁気記録層を有するカードを処理するカード処理装置において、カードに記録されている磁気情報を読み出す読み出し手段と、カードの印字エリアが何回目の満杯であるかを判定する判定手段と、この判定手段によりカードの印字エリアが１回目の満杯になっていないと判定された場合には第１の印字エネルギーで上記第１の記録層に印字し、上記判定手段によりカードの印字エリアが１回目の満杯であると判定された場合には前記第１の印字エネルギーよりも高い第２の印字エネルギーで上記第２の記録層に印字し、上記判定手段によりカードの印字エリアが２回目の満杯であると判定された場合には前記第１及び第２の印字エネルギーよりも高い第３の印字エネルギーで上記第３の記録層に印字する印字手段とを具備したことを特徴としている。
【００１５】
【発明の実施の形態】
以下、図面を参照して本発明の一実施の形態について説明する。図１は複数の駅務機器をホストコンピュータで管理している駅務機器システムを示すブロック図である。
【００１６】
図１において、１１は本システムを統括して制御するホストコンピュータである。このホストコンピュータ１１には監視盤１２が接続されている。この監視盤１２は後述する各種条件を設定するキー入力手段を備えているとともに、各駅務機器の動作状況（正常に稼働中か、異常停止中か）をモニタしている。
【００１７】
ホストコンピュータ１１には通信ラインを介して、複数の自動改集札機１３、自動券売機１４、複数の精算機１５が接続されている。自動改集札機１３、自動券売機１４、精算機１５を総称して駅務機器という。
【００１８】
ホストコンピュータ１１はマイクロコンピュータを中心に構成されているもので、自動改集札機１３、自動券売機１４及び精算機１５から送られてくるデータを集計して、売上データ等を集計、管理している。
【００１９】
次に、図２を参照して自動改集札機１３、自動券売機１４及び精算機１５の基本的構成について説明する。図２において、１１は本カード処理装置の構成を示すブロック図である。
【００２０】
図２において、２１は本装置を統括して制御するＣＰＵ（中央処理装置）である。このＣＰＵ２１からのシステムバス２１ａには図６に示す制御プログラムが記憶されているＲＯＭ（リード・オンリ・メモリ）２２、各種作業エリアが設定されたＲＡＭ（ランダム・アクセス・メモリ）２３、前述したホストコンピュータ１１とのデータの送受信を制御する伝送制御回路２４、サーマルヘッドの３種類の駆動条件（パルス幅）を記憶しているサーマルヘッド駆動条件メモリ２５、カード処理機の種類、カードの残高の条件からカードの印字の駆動条件を選択するサーマルヘッド駆動条件判定部２６が接続されている。この駆動条件は３つあり、カードの印字エリアが１回目の満杯になっていない場合は第１の印字エネルギー（駆動条件１）、カードの印字エリアが１回目の満杯であれば第１の印字エネルギーとは異なる第２の印字エネルギー（駆動条件２）、カードの印字エリアが２回目の満杯であれば、前記第１および第２の印字エネルギーとは異なる第３の印字エネルギー（駆動条件３）となる。これらの駆動条件１〜３は監視盤１２から設定することができる。
【００２１】
さらに、システムバス２１ａには、カードに磁気記録されているカード残額、日付、乗車駅等の磁気情報を読取る磁気情報を読取る読取ヘッド２７を介して読取る読取回路２８、カードにカード残額、日付、乗車駅の磁気情報を書込ヘッド２９を介して書込む書込回路３０、カードの裏面に図７〜図９に示すように日付、乗降車駅、使用した駅務機器、カード残額をサーマルヘッド３１を介して印字するサーマルヘッド駆動回路３２、カード処理装置内部におけるカードの搬送を制御するモータ３３を駆動するモータ駆動回路３４を制御する搬送制御回路３５、運賃表が格納された運賃メモリ３６、ＲＯＭ２２に設定されている本カード処理装置が設置された駅名と運賃メモリ３６に記憶されている運賃表を参照して運賃を演算する運賃演算部３７が接続されている。
【００２２】
次に、図３を参照して本カード処理装置で使用されるカードの構造について説明する。図３において、４１は例えばポリエステルフィルムで構成された基材である。この基材４１の磁気記録層４２が積層されると共に、その磁気記録層４２の上にそれぞれ感熱発色記録材料からなる第１の記録層４３、第２の記録層４４、第３の記録層４５が順に積層されている。
【００２３】
第１の記録層４３乃至第３の記録層４５のそれぞれの静発色特性は、図４に示すように発色する温度域が異なっている。つまり、第１の記録層４３、第２の記録層４４、第３の記録層４５の順で発色する温度が上昇している。
【００２４】
つまり、サーマルヘッド駆動回路３２においてサーマルヘッド３１に印加する印字パルスのパルス幅を図５（Ａ）〜（Ｃ）に示すように制御することにより、第１の記録層４３、第２の記録層４４、第３の記録層４５を選択して印字させることができる。つまり、パルス幅を長くすることにより、第１の記録層４３、第２の記録層４４、第３の記録層４５に印加する熱エネルギーを可変させることができる。
【００２５】
次に、上記のように構成された本発明の一実施の形態の動作について説明する。まず、カードをカード投入口（図示しない）から投入すると（ステップＳ１）、モータ３３が駆動され、カードは磁気ヘッド２７がある位置まで搬送される。
【００２６】
そして、この磁気ヘッド２７でカード残額、日付、乗車駅の磁気情報を読取る（ステップＳ２）。そして、ＲＯＭ２２に設定されている本カード処理装置が設置された駅名と運賃メモリ３６に記憶されている運賃表を参照して運賃演算部３７において運賃が演算される（ステップＳ３）。
【００２７】
さらに、カードに磁気記録されていたカード残額から運賃が減算されてカード残額が計算される（ステップＳ４）。
次に、サーマルヘッド駆動条件判定部２６において、印字エリアは１回目の満杯かどうかが判定される（ステップＳ５）。つまり、カードの印字エリアは１回目の満杯になったかが判定される。このステップＳ５で「ＮＯ」と判定された場合、つまり１回も満杯になっていない場合には、駆動条件１で印字、つまり図５（Ａ）の印字パルスがサーマルヘッド３１に出力されてカード残額が黄色で印字される。
【００２８】
一方、ステップＳ５で「ＹＥＳ」と判定された場合には、印字エリアは２回目の満杯になったかが判定される（ステップＳ７）。このステップＳ７の判定で「ＮＯ」と判定された場合、つまりカードの印字エリアが１回目の満杯になったと判定された場合には、駆動条件２で印字、つまり図５（Ｂ）の印字パルスがサーマルヘッド３１に出力されてカード残額が青色で印字される。
【００２９】
一方、ステップＳ７の判定で「ＹＥＳ」と判定された場合、つまりカードの印字エリアが２回目の満杯になったと判定された場合には、駆動条件３で印字され、カード残額が黒色で印字される。（ステップＳ９）。
【００３０】
その後に、書込ヘッド２９からカード残額、使用日付を磁気記録層４２に記録される（ステップＳ１０）。
そして、モータ３３が駆動してカードが排出される（ステップＳ１１）。
【００３１】
以上のようにして、図７乃至図９に示すように、１回目の満杯になっていない場合には、カード残額が黄色で印字され、１回目の満杯になった場合にはカード残額が青色で印字される。
【００３２】
次に、本発明の第２の実施の形態について図１１及び図１２のフローチャートを参照して説明する。この第２の実施の形態の構成は図１乃至図５は共通である。
【００３３】
次に、図１０乃至図１１のフローチャートを参照して本発明の第２の実施の形態について説明する。まず、カードをカード投入口（図示しない）から投入すると（ステップＳ２１）、モータ３３が駆動されて、カードは磁気ヘッド２７がある位置まで搬送される。
【００３４】
そして、この磁気ヘッド２７でカード残額、日付、乗車駅の磁気情報を読取る（ステップＳ２２）。そして、ＲＯＭ２２に設定されている本カード処理装置が設置された駅名と運賃メモリ３６に記憶されている運賃表を参照して運賃演算部３７において運賃が演算される（ステップＳ２３）。
【００３５】
さらに、カードに磁気記録されていたカード残額から運賃が減算されてカード残額が計算される（ステップＳ２４）。
そして、入場データが有るか否かが判定される（ステップＳ２５）。つまり、前述したステップＳ２２の磁気情報読取り処理で、読み取られた磁気情報から入場した時刻を検出する処理がなされる。
【００３６】
このステップＳ２５の判定で「ＮＯ」と判定された場合には、カードの裏面の入場時刻を印字する入場エリアに「未入場」という文字が赤色で印字される（ステップＳ２６）。
【００３７】
そして、カードの裏面の出場時刻を印字する出場エリアに出場時刻が印字される（ステップＳ２７）。
そして、「未入場」という表示を見て、乗客は精算処理機にて、入場データの入力及び当駅まで不足料金の支払処理を行う。次に、精算したか否かが判定される（ステップＳ２８）。このステップＳ２８の判定で「ＹＥＳ」と判定された場合には、未入場と印字された「未」が黒く塗りつぶされる（ステップＳ２９）。
【００３８】
このようにして、出場処理のときに、入場が定期券を用い、出場にカードを用いたような場合に、カードの入場エリアに未入場と印字することにより、利用者にその旨を警告することができる。
【００３９】
次に、図１１のフローチャートを参照して入場処理について説明する。実線で示した部分は第１の例である。まず、カードをカード投入口（図示しない）から投入すると（ステップＳ３１）、モータ３３が駆動されて、カードは磁気ヘッド２７がある位置まで搬送される。
【００４０】
そして、この磁気ヘッド２７でカード残額、日付を読取る（ステップＳ３２）。次に、出場データが有るか否か判定する（ステップＳ３３）。
つまり、前述したステップＳ３３の磁気情報読取り処理で、読み取られた磁気情報から出場した時刻を検出する処理がなされる。
【００４１】
このステップＳ３３の判定で「Ｎ０」と判定された場合には、カードの裏面の出場時刻を印字する出場エリアに未出場が印字される（ステップＳ３４）。
ステップＳ３３の判定で「ＹＥＳ」と判定された場合には、カードの入場エリアに入場データが印字される（ステップＳ３５）。
【００４２】
このようにして、入場処理のときに、入場にカードを用い、出場に定期券を用いたような場合に、カードの出場エリアに未出場と印字することにより、利用者にその旨を警告することができる。
【００４３】
ところで、破線で示した部分は第２の実施の形態の第２の例を示す。この第２の例は、このステップＳ３３の判定で「Ｎ０」と判定された場合には、カードの裏面の出場時刻を印字する出場エリアに未出場が印字され（ステップＳ３４）、ゲートが閉じられて入場が阻止される（ステップＳ３６）。
【００４４】
次に、図１２を参照して本発明の第３の実施の形態について説明する。この第３の実施の形態はカードの一部に複数の金属部分を設けるようにしている。図１２において、５１はカードである。このカード５１の表面には、金属片５２が接着されている。カードの表面は保護膜と金属部分で触覚が異なるので金属部の形状、位置などからカードの種類を判別することができる。
【００４５】
次に、図１３を参照して本発明の第４の実施の形態について説明する。この第４の実施の形態も第３の実施の形態と同じように、カードの一部に単一の金属部分を設けるようにしている。図１３（Ａ）では、カードの一部に、三角形の突起を設けるようにしたが、図１３（Ｂ）に示すように、他の形状であっても良い。
【００４６】
【発明の効果】
請求項１及び２記載の発明によれば、カードの印字エリアが満杯になった場合でも、再発行という手続きを取らなくても、印字することができるカード処理装置を提供することができる。
【００４７】
請求項３乃至５記載の発明によれば、定期券とカードとを用いた不正乗車を警告することができるカード処理システムを提供することができる。
請求項６記載の発明によれば、カードの種別を感覚的に判別することができるカード処理装置を提供することができる。
【図面の簡単な説明】
【図１】本発明の第１の実施の形態に係わるカード処理装置としての駅務機器をホストコンピュータで管理している駅務機器システムを示すブロック図。
【図２】カード処理装置のシステム構成を示すブロック図。
【図３】カードの断面構造を示す図。
【図４】カードの第１乃至第３の記録層の発色する温度域を説明するための図。
【図５】サーマルヘッドに印加する印字パルスを示す波形図。
【図６】本発明の第１の一実施の形態の動作を説明するためのフローチャート。
【図７】カードの印字例を示す図。
【図８】カードの印字例を示す図。
【図９】カードの印字例を示す図。
【図１０】本発明の第２の実施の形態の動作を説明するためのフローチャート。
【図１１】本発明の第２の実施の形態の動作を説明するためのフローチャート。
【図１２】本発明の第３の実施の形態のカードの形状を示す図。
【図１３】本発明の第４の実施の形態のカードの形状を示す図。
【符号の説明】
１１…ホストコンピュータ、１２…監視盤、１３…自動改集札機、１４…自動券売機、１５…精算機、２１…ＣＰＵ（中央処理装置）、２２…ＲＯＭ（リード・オンリ・メモリ）、２３…ＲＡＭ（ランダム・アクセス・メモリ）、２４…伝送制御回路、２５…サーマルヘッド駆動条件メモリ、２６…サーマルヘッド駆動条件判定部、２７…読取ヘッド、２８…読取回路、２９…書込ヘッド、３０…書込回路、３１…サーマルヘッド、３２…サーマルヘッド駆動回路、３３…モータ、３４…モータ駆動回路、３５…搬送制御回路、３６…運賃メモリ、３７…運賃演算部。
【図１】
0003805828.tif 000002
【図２】
0003805828.tif 000003
【図３】
0003805828.tif 000004
【図４】
0003805828.tif 000005
【図５】
0003805828.tif 000006
【図６】
0003805828.tif 000007
【図７】
0003805828.tif 000008
【図８】
0003805828.tif 000009
【図９】
0003805828.tif 000010
【図１０】
0003805828.tif 000011
【図１１】
0003805828.tif 000012
【図１２】
0003805828.tif 000013
【図１３】
0003805828.tif 000014